(57)【要約】【課題】携帯用電子機器の浸水について、機器内部を調べることなく機器の外部から判定できる様にする。【解決手段】水に浸漬されることで変化するインクを付着させたインクシール４を機器１の所要位置に貼付することにより、機器内部に水が浸入すると、インクシールが滲み変色したことが機器外部から確認できる。【選択図】図６
2004048756.tif 000002
【特許請求の範囲】
【請求項１】
電池パックを装着して使用する携帯電話機に於いて、
前記電池パックの装着により覆い隠される部位に孔を設け、
該孔を該孔からの水の侵入を防止する透明部材で覆い、
前記携帯電話機内部の前記孔近傍の部品に前記孔に対峙させて前記携帯電話機内部に水が浸水した場合に当該水に浸漬されることで変化するインクを付着させたインクシールを貼付したことを特徴とする携帯電話機。
【発明の詳細な説明】
【０００１】
【発明の属する技術分野】本発明は、電子機器の内部を調べなくても、機器が水の中に浸かり、機器内部が浸水したことが機器の外部から判定可能な携帯用電子機器に関するものである。
【０００２】
【従来の技術】持ち運び可能な通信機、測定器、補聴器等携帯用電子機器の故障の１つに、機器の浸水による回路のショート等が原因であるものがある。然し乍ら、携帯用電子機器の発売後の保証範囲には機器の浸水による故障についての修理は含まれないことが多い。
【０００３】前記携帯用電子機器の故障原因が浸水によるものなのかその他の事故によるものなのかの判定は機器自体を目視しただけでは非常に困難であり、ケースのネジ等を外して分解し、機器内部を調べて判定していた。
【０００４】
【発明が解決しようとする課題】ところが、機器内部を調べた結果、機器の故障原因が浸水によるものだと判定しても、機器の浸水事実を証明する手段がない為、無償の修理を余儀なくされているという問題があった。
【０００５】又、故障原因の判定の為に電子機器のケースのネジ等を外す作業は大変煩わしく、場合によっては検査機器の使用が必要であり、時間が掛かり、効率の悪いものとなっていた。
【０００６】本発明は斯かる実情に鑑み、携帯用電子機器の浸水について機器の内部を調べることなく、機器の外部から判定できる様にすると共に浸水のあったことを記録できる様にしたものである。
【０００７】
【課題を解決するための手段】本発明は、水に浸漬されることで変化するインクを付着させたインクシールを機器の所要位置に貼付した携帯用電子機器に係り、又前記インクシールを機器内部の所要位置に貼付し、機器ケースに前記インクシールを透視可能な孔を穿設すると共に該孔が透明部材で覆われた携帯用電子機器に係り、又機器ケースに孔を穿設し、該孔を前記インクシールのインク付着部分が塞ぐ様、前記インクシールを機器外部から貼付した携帯用電子機器に係り、又前記インクシールを機器内部の所要位置に貼付し、機器ケースを透明部材とし、該機器ケースを前記インクシールが透視可能な窓を残して塗装した携帯用電子機器に係り、又前記インクシールが銘板シールである携帯用電子機器に係り、更に又前記インクシールのインク付着部分が判定マークを表している携帯用電子機器に係るものである。
【０００８】携帯用電子機器が水に浸かり、機器内部に水が浸入すると、インクシールが滲み変色したことが機器外部から確認できる。
【０００９】
【発明の実施の形態】以下、図面を参照しつつ本発明の第１の実施の形態を説明する。尚、以下は本発明を携帯電話機に実施した場合について説明する。
【００１０】図１は電池パック（図示せず）を装着して使用する携帯電話機１の背面を示し、図２は該携帯電話機１の一部を破断した側面を示す。図中、２は該携帯電話機１のケース、３は透明部材から成る透明シール、４は水に浸漬されることにより滲み変色するインクを付着させたインクシール、５はアンテナを示す。
【００１１】前記ケース２は不透明な材質で形成されている。前記ケース２の背面側に前記電池パックにより充填可能な欠切部６を形成する。該欠切部６の適宜箇所に前記ケース２内部が覗ける小孔７を穿設し、該小孔７を塞ぐ様に前記ケース２の外側から前記透明シール３を貼付する。該透明シール３は水の浸入を防止し得る所要な大きさとすると共に所要の接着力を与える。
【００１２】更に、前記ケース２の内側から前記小孔７を塞ぐ様に前記インクシール４を貼付する。
【００１３】上記の様な構成とすると、前記携帯電話機１が水に浸かり、機器内部に水が浸入した場合、ケース２内部に設けた前記インクシール４が滲み変色したことが前記透明シール３、前記小孔７を介して機器外部から確認できる。従って、機器の故障原因を判定する為にケース２のネジ等を外して機器内部を調べる必要はない。
【００１４】尚、前記透明シール３は前記小孔７に対応する部分のみ透明な材質とすればよく、残りの部分については機器の銘板とすることも可能である。又、前記欠切部６に前記電池パックを装填することにより前記透明シール３は覆い隠すことができる。
【００１５】更に、前記インクシール４は前記ケース２の内側から前記小孔７に貼付したが、図３に示す様に、前記小孔７近傍の部品８に前記小孔７に対峙させて貼付することも可能である。
【００１６】次に、図４、図５に於いて本発明の第２の実施の形態を説明する。尚、図４、図５中、図１、図２中で示したものと同一のものには同符号を付し、説明を省略する。
【００１７】図４は表示機能を具備した携帯電話機１０の正面を示し、図５は該携帯電話機１０の一部を破断した側面を示す。図中１１は該携帯電話機１０のケース、１２は表示内容を見る為の透明部材から成る表示窓を示す。
【００１８】前記ケース１１は不透明な材質で構成し、該ケース１１の正面側に該ケース１１内部が覗ける角孔１３を穿設する。前記表示窓１２は、前記ケース１１の正面側から前記角孔１３に嵌合可能とし、前記ケース１１の正面側は前記表示窓１２を前記角孔１３に嵌合することにより面一に塞がれる。
【００１９】インクシール４は、前記ケース１１内部の前記角孔１３近傍の部品１４に前記角孔１３に対峙させて貼付する。
【００２０】上記した第２の実施の形態に於いても、前記携帯電話機１０の内部が浸水した場合、前記インクシール４を前記表示窓１２、前記角孔１３を介して機器外部から確認できる。
【００２１】次に図６〜図８に於いて、本発明の第３の実施の形態について説明する。尚、図６〜図８中、図１、図２中で示したものと同一のものには同符号を付し、説明を省略する。
【００２２】図６は電池パック（図示せず）を装着して使用する携帯電話機２０の一部を破断した側面、図７はインクシール２１の側断面、図８は該インクシール２１の裏面をそれぞれ示す。
【００２３】該インクシール２１は、透明シート２２の裏面中央に水に浸漬されることにより滲み変色するインク紙片２３が貼設されており、該インク紙片２３と該インク紙片２３周縁の空白部分２４を除いて前記インクシール２１の裏面には接着剤２５が付着されている。
【００２４】前記携帯電話機２０の欠切部６に小孔７を穿設し、該小孔７と前記インク紙片２３が対応する様に前記インクシール２１を前記ケース２の外側から貼付する。
【００２５】上記した第３の実施の形態に於いても、前記携帯電話機２０の内部が浸水した場合、インク紙片２３が滲み変色するのを機器外部から確認できる。
【００２６】尚、インクシールの裏面のインク紙片周縁に空白部分を設けたが、空白部分はなくてもよく、又インク紙片は透明シートの裏面中央に貼設したが、裏面中央に限らず、適宜な場所で構わない。更に、インク紙片は貼設したが、透明シートの裏面に同様の性質のインクを印刷してもよい。
【００２７】次に図９に於いて、本発明に用いられるインクシールの応用例を説明する。尚、図９中、図７、図８中で示したものと同一のものには同符号を付し、説明を省略する。該応用例ではインクシールを銘板シール２６として使用するものである。
【００２８】銘板シール２６の表面には機器の名称や製造年月日等の表示文字２７が印刷され、該表示文字２７と重ならない適宜な位置の裏側に水に浸漬されることにより滲み変色するインク紙片２３が貼設されている。該インク紙片２３と該インク紙片２３周縁の空白部分２４を除いて前記銘板シール２６の裏面には接着剤２５が付着されている。又、前記銘板シール２６の表面は、少なくとも前記インク紙片２３に対応する部分が透明となっており、表面から前記インク紙片２３を透視できる様になっている。
【００２９】前記携帯電話機２０の欠切部６に穿設された小孔７と前記インク紙片２３が対応する様に前記銘板シール２６を前記ケース２の外側から貼付することにより、前記携帯電話機２０の内部が浸水した場合に前記インク紙片２３が滲み変色するのを機器外部から確認できる。
【００３０】尚、インク紙片周縁の空白部分はなくてもよく、又インク紙片を貼設するのではなく、インク紙片と同様の性質のインクを銘板シールの裏面に印刷してもよい。
【００３１】次に図１０（Ａ）、図１０（Ｂ）に於いて、インクシールの他の応用例について説明する。尚、図１０（Ａ）、図１０（Ｂ）中、図７、図８中で示したものと同一のものには同符号を付し、説明を省略する。
【００３２】透明シート２２裏面に水に浸漬されることにより滲み変色するインク紙片２９が水という文字をかたどって貼設されている。該インク紙片２９と該インク紙片２９周縁の空白部分２４を除いてインクシール２８の裏面には接着剤２５が付着されている。前記インクシール２８の表面は、少なくとも前記インク紙片２９に対応する部分には塗装等なされてなく透明となっており、表面から前記インク紙片２９を透視できる様になっている。
【００３３】前記携帯電話機２０の欠切部６に穿設された小孔７と前記インク紙片２９が対応する様にインクシール２８を前記ケース２の外側から貼付することにより、前記携帯電話機２０の内部が浸水した場合に前記インク紙片２９が滲み変色し、図１０（Ａ）から図１０（Ｂ）の様に該インク紙片２９が判定マーク２９′へ変化し、機器外部から「水」という文字を確認できる。
【００３４】尚、インク紙片周縁の空白部分はなくてもよく、又インク紙片を貼設するのではなく、インク紙片と同様の性質のインクをインクシールの裏面に印刷してもよい。更に、インク紙片は水という文字に限らず、他の文字、記号、図等でもよく、又文字、記号、図等を象ったインク紙片ではなく、文字、記号、図等を刳いたインク紙片でも構わない。
【００３５】次に図１１、図１２に於いて本発明の第４の実施の形態について説明する。図１１、図１２中、図１で示したものと同一のものには同符号を付し、説明を省略する。
【００３６】図１１は電池パック（図示せず）を装着して使用する携帯電話機３０の背面を示し、図１２は該携帯電話機３０の一部を破断した側面を示す。
【００３７】携帯電話機３０のケース３１は透明部材から成り、欠切部６に透明窓３２を形成する様、一部を養生して残りの部分全体を塗装して、塗装膜３５を形成する。水に浸漬されることにより滲み変色するインクシール３３を前記透明窓３２に対応する様、前記ケース３１の内側から貼付する。
【００３８】前記携帯電話機３０の内部が浸水した場合に前記インクシール３３が滲み変色したことが前記透明窓３２を介して機器外部から確認できる。
【００３９】更に、前記インクシール３３は前記ケース３１の内側から前記透明窓３２に貼付したが、図１３に示す様に該透明窓３２近傍の部品３４に前記透明窓３２に対峙させて貼付することも可能である。
【００４０】尚、上述した全ての実施の形態に於いて、機器の浸水により変色したインクシール或は銘板シールは修理時に貼替える様にする。
【００４１】又、浸水の事実を判定するだけなら、インクシール或は銘板シールは外部から直接見える必要はなく、ケースを外した時に見え易い位置に貼付されていてもよい。
【００４２】
【発明の効果】以上述べた如く本発明によれば、携帯用電子機器の浸水について、機器の内部を調べずに機器の外部から判定できる様にしたので、機器の故障原因の判定に余計な手間が掛からず、迅速な修理対策が取れ、修理作業の合理化が図れる。
【図面の簡単な説明】
【図１】本発明の第１の実施の形態に係る携帯電話機の背面図である。
【図２】同前携帯電話機の一部を破断した側面図である。
【図３】同前携帯電話機の他の例を示し、一部を破断した側面図である。
【図４】本発明の第２の実施の形態に係る携帯電話機の正面図である。
【図５】同前携帯電話機の一部を破断した側面図である。
【図６】本発明の第３の実施の形態に係る携帯電話機の一部を破断した側面図である。
【図７】同前実施の形態に係るインクシールの側断面図である。
【図８】同前実施の形態に係るインクシールの背面図である。
【図９】本発明の実施の形態に係るインクシールの応用例を示した図である。
【図１０】（Ａ）は本発明の実施の形態に係るインクシールの他の応用例を示した図であり、（Ｂ）は該インクシールが水に浸漬した様子を示した図である。
【図１１】本発明の第４の実施の形態に係る携帯電話機の背面図である。
【図１２】同前携帯電話機の一部を破断した側面図である。
【図１３】同前携帯電話機の他の例を示し、一部を破断した側面図である。
【符号の説明】
１　携帯電話機
４　インクシール
７　小孔
１０　携帯電話機
２０　携帯電話機
２１　インクシール
２３　インク紙片
２６　銘板シール
２８　インクシール
２９　インク紙片
２９′　判定マーク
３０　携帯電話機
３２　透明窓
３３　インクシール
【図１】
2004048756.tif 000003
【図２】
2004048756.tif 000004
【図３】
2004048756.tif 000005
【図４】
2004048756.tif 000006
【図５】
2004048756.tif 000007
【図６】
2004048756.tif 000008
【図７】
2004048756.tif 000009
【図８】
2004048756.tif 000010
【図９】
2004048756.tif 000011
【図１０】
2004048756.tif 000012
【図１１】
2004048756.tif 000013
【図１２】
2004048756.tif 000014
【図１３】
2004048756.tif 000015